(57)【要約】【課題】調律装置本体等の電子機器本体とクリップ部とを一体とすることでコンパクト化を図ることができるとともに高い設置安定性を備えた音楽用電子機器を提供する【解決手段】電子機器本体４０と、クリップ部１０と、連結部材５０とを備える調律装置１において、クリップ部１０を、平板形状をなす第１板材２０と、第１板材２０の上方に対向配置されて挟持板部３２と逃げ板部３４とを備える第２板材３０と、これらを相対回動可能に連結するとともに第１板材２０と挟持板部３２とが閉じて平行となる方向に付勢するヒンジ部３６とから構成し、挟持板部３２と逃げ板部３４とに囲われた空間を収納スペースとし、第２板材３０の先端部上面に連結部材５０によって連結された調律装置本体４０を、その背面を挟持板部３２及び逃げ板部３４の上面に沿わせるとともに、表示部４２を挟持板部３２の上方に向けた状態で収納する。【選択図】図１
2010164709.tif 000002
【特許請求の範囲】
【請求項１】
所定の情報を表示する表示部を表面に備えた電子機器本体と、該電子機器本体を楽器に装着するクリップ部と、前記電子機器本体を前記クリップ部に連結する連結部材とを備える音楽用電子機器において、
前記クリップ部が、
平板形状をなす第１板材と、
該第１板材の上方に対向配置され、先端側が前記第１板材と平行に延びる挟持板部とされるとともに後端側が前記第１板材から離間する方向に傾斜して延びる逃げ板部とされる第２板材と、
前記第１板材と前記第２板材とを相対回動可能に連結して、前記第１板材と前記挟持板部とによって前記楽器を把持可能とするヒンジ部とを有し、
前記挟持板部と前記逃げ板部とに囲われた収納スペースに、前記第２板材の先端部上面に前記連結部材によって連結された前記電子機器本体が、該電子機器本体の背面を前記挟持板部及び前記逃げ板部の上面に沿わせるとともに前記表示部を前記挟持板部の上方に向けて収納されることを特徴とする音楽用電子機器。
【請求項２】
前記電子機器本体が、前記連結部材によって前記挟持板部の先端部上面に連結され、前記収納スペースに収納された収納状態と前記表示部が前記挟持板部の先端側を向く立ち上がり状態との間で回動可能とされていることを特徴とする請求項１に記載の音楽用電子機器。
【請求項３】
前記挟持板部の先端部下面に、パッド部材が設けられたことを特徴とする請求項１又は２に記載の音楽用電子機器。
【請求項４】
前記第１板材が、その先端から上方に傾斜して延びる顎板部を有することを特徴とする請求項１から３のいずれか一項に記載の音楽用電子機器。
【請求項５】
前記第１板材が先端側に伸縮可能とされていることを特徴とする請求項４に記載の音楽用電子機器。
【請求項６】
前記顎板部の上面に、前記挟持板部の先端部が収納される凹部が開口されていることを特徴とする請求項４又は５に記載の音楽用電子機器。
【請求項７】
前記第１板材と前記挟持板部とが閉じる際に、前記表示部が前記挟持板部の先端側を向く立ち上がり状態の前記電子機器本体を、前記顎板部が押圧することで、該電子機器本体を、前記収納スペースに収納された収納状態へと回動させることを特徴とする請求項４から６のいずれか一項に記載の音楽用電子機器。
【請求項８】
前記電子機器本体が収納状態から立ち上がり状態に回動するように付勢されており、前記第１板材と前記挟持板部とが閉じている際に、前記顎板部が前記電子機器本体に当接して該電子機器本体の収納状態から立ち上がり状態への回動を制限するとともに、前記第１板材と前記挟持板部とが開いた際に、前記顎板部による前記電子機器本体の回動の制限が解除されることを特徴とする請求項４から６のいずれか一項に記載の音楽用電子機器。
【請求項９】
前記第１板材の上面にパッド部材が設けられたことを特徴とする請求項１から８のいずれか一項に記載の音楽用電子機器。
【請求項１０】
前記電子機器本体の背面に、緩衝部材が設けられたことを特徴とする請求項１から９のいずれか一項に記載の音楽用電子機器。
【請求項１１】
前記電子機器本体に、楽器の操作により生じた振動を検知する振動センサが前記電子機器本体に内蔵されていることを特徴とする請求項１から１０のいずれか一項に記載の音楽用電子機器。
【請求項１２】
前記挟持板部の下面に、楽器の操作により生じた振動を検知する振動センサが前記挟持板部の下面に設けられていて、該振動センサと前記電子機器本体の内部に配された電気回路とを接続する配線が前記連結部材の内部に敷設されていることを特徴とする請求項１から１０のいずれか一項に記載の音楽用電子機器。
【請求項１３】
前記振動センサが前記第１板材を上下方向に貫通して配置され、前記第１板材の下面側に前記振動センサが露呈していることを特徴とする請求項１２に記載の音楽用電子機器。
【請求項１４】
前記逃げ板部が、前記収納状態の前記電子機器本体の前記表示部よりも上方に延びていることを特徴とする請求項１から１３のいずれか一項に記載の音楽用電子機器。
【請求項１５】
前記電子機器本体の操作部が、該電子機器本体の前記背面に設けられたことを特徴とする請求項１から１４のいずれか一項に記載の音楽用電子機器。
【発明の詳細な説明】
【技術分野】
【０００１】
本発明は、音楽の演奏時（演奏開始前）や練習時に用いられる調律装置やメトロノーム等の音楽用電子機器に関するものである。
【背景技術】
【０００２】
従来から、音楽の演奏時や練習時に用いられる音楽用電子機器が知られており、その一例としては、任意の音を入力してその音高情報を基準として調律を行う調律装置が挙げられる。
【０００３】
この調律装置は、楽器に直接取り付けて楽器から発生した音の調律状態を調律装置本体の表示部に表示するものであり、従来の調律装置は、調律対象である楽器から発せられる音を効率良く感知する場所を探りながら設置する必要があった。調律対象が金管楽器の場合、ベル付近の発音側が最も効率の良い採音ができる位置であるが、この位置に調律装置を設置すると、調律装置本体の表示面がベルに隠れてしまうという問題があった。このような問題を解消するために、楽器の発音部近傍を挟持するクリップ部と、調律した結果を表示する表示面を備えた調律装置本体との間に回動可能な継手を設け、表示面が演奏者から視認し易い位置に配置可能な調律装置が提案されている（例えば、特許文献１参照）。
【先行技術文献】
【特許文献】
【０００４】
【特許文献１】特開２００３−２５５９３２号公報
【発明の概要】
【発明が解決しようとする課題】
【０００５】
ところで、上記特許文献１の調律装置は、クリップ部と調律装置本体とが独立して配置された状態でこれらクリップと調律装置本体とが継ぎ手によって連結された構成とされている。したがって、クリップと調律装置本体との一体感はなく、これらクリップと調律装置本体との間に無駄なスペースが生じてしまい、コンパクトな構成とすることができないという問題があった。
また、クリップで楽器等を挟むことなく、単に楽器上又は机上に調律装置を設置する場合には、クリップ及び調律装置本体の下部に凹凸があることから設置安定性に欠けるという問題があった。
【０００６】
この発明はこのような課題に鑑みてなされたものであって、電子機器本体とクリップ部との一体感のある構成とすることでコンパクト化を図ることができるとともに、高い設置安定性を備えた音楽用電子機器を提供することを目的とする。
【課題を解決するための手段】
【０００７】
上記課題に鑑みて、本発明は以下の手段を提案している。
即ち、本発明に係る音楽用電子機器は、所定の情報を表示する表示部を表面に備えた電子機器本体と、該電子機器本体を楽器に装着するクリップ部と、前記電子機器本体を前記クリップ部に連結する連結部材とを備える音楽用電子機器において、前記クリップ部が、平板形状をなす第１板材と、該第１板材の上方に対向配置され、先端側が前記第１板材と平行に延びる挟持板部とされるとともに後端側が前記第１板材から離間する方向に傾斜して延びる逃げ板部とされる第２板材と、前記第１板材と前記第２板材とを相対回動可能に連結して、前記第１板材と前記挟持板部とによって前記楽器を把持可能とするヒンジ部とを有し、前記挟持板部と前記逃げ板部とに囲われた収納スペースに、前記第２板材の先端部上面に前記連結部材によって連結された前記電子機器本体が、該電子機器本体の背面を前記挟持板部及び前記逃げ板部の上面に沿わせるとともに前記表示部を前記挟持板部の上方に向けて収納されることを特徴とする。
【０００８】
このような特徴の音楽用電子機器によれば、クリップ部の第２板材の上方において挟持板部と逃げ板部とに囲われた収納スペースに電子機器本体を収納することで、クリップ部と電子機器本体との一体感を高めて無駄な空間のないコンパクトな構成とすることができる。
また、音楽用電子機器の最下部に位置する第１板材が平板状をなしているため、楽器上に安定性を高くして設置することができる。
【０００９】
また、本発明に係る音楽用電子機器においては、前記電子機器本体が、前記連結部材によって前記挟持板部の先端部上面に連結されるとともに、前記収納スペースに収納された収納状態と前記表示部が前記挟持板部の先端側を向く立ち上がり状態との間で回動可能とされていることを特徴とする。
これによって電子機器本体の表示部を視認し易い位置に配置することができる。
【００１０】
本発明に係る音楽用電子機器においては、前記挟持板部の先端部下面に、パッド部材が設けられていてもよい。
これにより、挟持板部と第１板材とによって楽器を把持した際に、挟持板部と楽器が緩衝して傷が付いてしまうのを回避することができるとともに、第１板材が楽器からずれてしまうこと防止することができる。
【００１１】
本発明の音楽用電子機器は、前記第１板材が、その先端から上方に傾斜して延びる顎板部を有することを特徴とする。  
これにより、クリップ部を開いたときに挟持板部と顎板部とが略平行に配置されるので、楽器の厚みが大きい場合であっても、挟持板部と顎板部との間で該楽器を確実に把持することができる。
【００１２】
また、この音楽用電子機器においては、前記第１板材が先端側に伸縮可能とされているものであってもよい。
これによって、厚みの大きな楽器にも対応することができる一方で、音楽用電子機器自体のコンパクト性を担保することが可能となる。
【００１３】
さらに、この音楽用電子機器においては、前記顎板部の上面に、前記挟持板部の先端部が収納される凹部が開口されているものであってもよい。
これによって、第１板材に顎板部が設けられていても第２板材を先端側に延ばすことができるため、厚みの大きな楽器を容易に把持することが可能となる。
【００１４】
本発明に係る音楽用電子機器は、前記第１板材と前記挟持板部とが閉じる際に、前記表示部が前記挟持板部の先端側を向く立ち上がり状態の前記電子機器本体を、前記顎板部が押圧することで、該電子機器本体を、前記収納スペースに収納された収納状態へと回動させることを特徴とする。
これによって、クリップ部先端を閉じることのみをもって電子機器本体を立ち上がり状態から収納状態に回動させることができるため、別途電子機器本体を回動させて収納する作業を行う必要がなく、取り扱いを容易にすることができる。
【００１５】
本発明に係る音楽用電子機器は、前記電子機器本体が収納状態から立ち上がり状態に回動するように付勢されており、前記第１板材と前記挟持板部とが閉じている際に、前記顎板部が前記電子機器本体に当接して該電子機器本体の収納状態から立ち上がり状態への回動を制限するとともに、前記第１板材と前記挟持板部とが開いた際に、前記顎板部による前記電子機器本体の回動の制限が解除されることを特徴とする。
これによりクリップ部先端を開くことのみをもって電子機器本体を収納状態から立ち上がり状態に回動させることができるため、別途電子機器本体を回動させて立ち上げる作業を行う必要がなく、取り扱いを容易にすることができる。
【００１６】
本発明に係る音楽用電子機器においては、前記第１板材の上面にパッド部材が設けられていてもよい。
これによって、顎板部によって楽器を把持した際に、該顎板部によって楽器に傷が付くことを回避することができるとともに、顎板部が楽器からずれてしまうのを防止することができる。
【００１７】
本発明に係る音楽用電子機器においては、前記電子機器本体の背面に、緩衝部材が設けられていてもよい。
これによって、電子機器本体の背面と第２板材とが干渉してこれらに傷が付くことを防止することができる。また、音楽用電子機器を落下させた際には、緩衝部材が衝撃を吸収するため、電子機器本体の破損を防止することができる。
【００１８】
本発明の音楽用電子機器は、前記電子機器本体に、楽器の操作により生じた振動を検知する振動センサが前記電子機器本体に内蔵されていることを特徴とする。
空気を伝播する振動を電子機器本体に内蔵された振動センサによって検知することにより、別途振動センサを設けた場合に比べて配線等を施す必要がなくなり、装置自体を簡易かつコンパクトな構成とすることが可能となる。
【００１９】
また、本発明の音楽用電子機器は、前記挟持板部の下面に、楽器の操作により生じた振動を検知する振動センサが前記挟持板部の下面に設けられていて、該振動センサと前記電子機器本体の内部に配された電気回路とを接続する配線が前記連結部材の内部に敷設されているものであってもよい。
これによれば、配線を電子機器本体外に敷設する必要があるものの、クリップ部で楽器を把持した際に、楽器に直接的に振動センサを接触させることができるため、より高精度の調律を行うことが可能となる。
【００２０】
また、この音楽用電子機器においては、前記振動センサが前記第１板材を上下方向に貫通して配置され、前記第１板材の下面側に前記振動センサが露呈しているものであってもよい。
これによって、クリップ部で楽器を把持することなく、第１板材を楽器上に設置した場合であっても、振動センサが楽器に直接的に接触するため、高精度の調律を行うことが可能となる。
【００２１】
本発明に係る音楽用電子機器においては、前記逃げ板部が、収納状態の前記電子機器本体の前記表示部よりも上方に延びていることを特徴とする。これによって、音楽用電子機器を落下等させた場合には、逃げ板部が落下の衝撃を受けることになるため、電子機器本体の表示部が破損することを防止することができる。
【００２２】
本発明に係る音楽用電子機器においては、前記電子機器本体の操作部が、該電子機器本体の前記背面に設けられたことを特徴とする。
このような特徴の音楽用電子機器によれば、電子機器本体が収納状態とされている場合に操作部が外部露呈することがないため、該操作部を衝撃等から保護するとともに誤作動の防止を図ることができる。
【発明の効果】
【００２３】
本発明の音楽用電子機器によれば、クリップ部の第２板材上部の収納スペースに電子機器本体を収納することにより、電子機器本体とクリップ部との一体化を図り、音楽用電子機器自体をコンパクトな構成とすることができる。
また、音楽用電子機器の最下部に位置する第１板材が平板板状をなしていることから安定性を高くして音楽用電子機器を楽器等に設置することが可能となる。
【図面の簡単な説明】
【００２４】
【図１】実施形態に係る調律装置の側面図である。
【図２】調律装置をクリップ部によって楽器に取り付けた場合の側面図である。
【図３】調律装置を楽器上に設置した場合の側面図である。
【図４】第１板材の上面にパッドシートが設けられた調律装置の側面図である。
【図５】第１板材が伸縮可能とされた調律装置の側面図である。
【図６】第２板材の挟持板部が先端側に延びて顎板部に開口する凹部に収納される調律装置の側面図である。
【図７】クリップ部を閉じることで調律装置本体を収納することが可能な調律装置の模式図である。
【図８】クリップ部を開くことによって調律装置本体を立ち上げることが可能な調律装置の模式図である。
【図９】調律装置本体の背面に緩衝部材が設けられた調律装置の側面図である。
【図１０】挟持板部の先端部下面に振動センサが設けられた調律装置の側面図である。
【図１１】振動センサが第１板材に形成された貫通孔を貫通して配置されている調律装置の側面図である。
【図１２】第２板材の逃げ板部が調律装置本体の表示部よりも上方に延びている調律装置の側面図である。
【図１３】操作部が調律装置本体の背面に設けられた調律装置の側面図である。
【図１４】第１板材が平坦形状をなす調律装置の側断面図である。
【発明を実施するための形態】
【００２５】
以下、図面を参照して、本発明の音楽用電子機器の実施形態としての調律装置について説明する。図１は実施形態に係る調律装置の側面図、図２は調律装置をクリップ部によって楽器に取り付けた場合の側面図である。
図１及び図２に示すように、調律装置（音楽用電子機器）１は、クリップ部１０と、調律装置本体（電子機器本体）４０と、連結部材５０とを有している。
【００２６】
クリップ部１０は、互いに対をなす第１板材２０及び第２板材３０の間に配置されて図示しないねじりコイルバネや板バネを備えたヒンジ部３６の付勢力によって、例えば管楽器やギター等の楽器を挟持することにより、調律装置１を該楽器に取り付けるものである。
【００２７】
図１に示すように、第１板材２０は、矩形平板形状をなす第１板材本体２１を有しており、該第１板材本体２１の長手方向の先端側（図１における右側）には、該第１板材本体２１の先端から上方に向かって傾斜して延在する顎板部２２が一体に形成されている。この顎板部２２の先端部上面には半球状をなす下パッド（パッド部材）２３が突設されている。  
【００２８】
第２板材３０は、上記第１板材２０の上方に対向配置され、矩形平板がその中間部において下方に凸となるように屈折した形状をなしている。
この屈折部３１を境界とした第２板材３０の先端側の部分は、上記第１板材２０と平行に延びる挟持板部３２とされており、該挟持板部３２の先端部下面には、シート状をなす上パッド（パッド部材）３３が敷設されている。
また、屈折部３１を境界とした後端側の部分は、屈折部３１から後端側に向かうに従って第１板材２０から逃げるように傾斜して延びる逃げ板部３４とされている。
【００２９】
そして、逃げ板部３４の先端部下面と第１板材２０の上面における逃げ板部３４の先端部下面に対向する箇所とが、ヒンジ部３６によって連結されている。
【００３０】
このヒンジ部３６は、第１板材２０及び第２板材３０の長手方向に直交するとともにこれら第１板材２０及び第２板材３０の板面に平行な回転軸３７を有しており、これによって、第１板材２０及と第２板材３０とが対向状態を維持しつつ該回転軸３７を支点として互いに相対回動するようになっている。
【００３１】
このヒンジ部３６は、図示しないバネ等の弾性部材によって第１板材２０と挟持板部３２とを接近させる方向に回動付勢している。これにより、第１板材２０と第２板材３０の挟持板部３２とが近接してクリップ部１０が閉じた状態とされ、この際、第２板材３０の先端が第１板材２０の顎板部２２の上面に当接して、第２板材３０の挟持板部３２と第１板材２０とが平行状態に維持される。なお、この状態においては、挟持板部３２の下面と第１板材２０の上面との間にクリアランスが形成される。
また、第２板材３０の逃げ板部３４の後端側と第１板材２０の後端側とを接近させる方向に外力を加えると、挟持板部３２と第１板材先端部上面とが離間し、クリップ部１０が開いて楽器６０を把持可能な状態となる。
【００３２】
このようなクリップ部１０の第２板材３０の上方には、挟持板部３２の上面と逃げ板部３４の上面とに囲われた空間が形成され、該空間が調律装置１の調律装置本体４０の収納スペースとされている。
【００３３】
調律装置本体４０は、図１及び図２に示すように概略船形状をなし樹脂製からなる筐体４１を備えており、該筐体４１における平坦状の表面全域には、調律器として機能する際の情報が表示される表示部４２が設けられている。この表示部４２としては、例えばメーター、複数のＬＥＤ、ＬＣＤ表示器などが使用される。
【００３４】
上記筐体４１の内部には、電気回路や電池とともに振動センサ（図示省略）が内蔵されている。楽器６０の演奏時には空気を伝搬する振動が該振動センサによって検知され、この検知に基づく電気信号が増幅回路により所望のレベルの電気信号に増幅されてピッチ抽出手段に入力される。このピッチ抽出手段は、例えば「入力された信号の中で最も周期が長い基本波成分の周期を計測する」というような命令が記憶されているメモリとマイクロコンピュータで実現される。
続いて、このピッチ抽出手段において計測されたピッチと予め設定されている基準ピッチがピッチ誤差検出手段に入力される。このピッチ誤差検出手段は「入力された周波数の差を計算する」という命令が記憶されているメモリとマイクロコンピュータによって実現される。
そして、このピッチ誤差検出手段において計算された周波数偏差の値に応じて、表示部４２に結果が表示される。
【００３５】
また、上記筐体４１は、表示部４２の反対側に位置し該表示部４２と平行をなす主背面４３と、該主背面４３の長手方向両端側から広がるようにそれぞれ前面側に傾斜して延びる一対の傾斜背面４４ａ、４４ｂとを有している。
この傾斜背面４４ａ、４４ｂのうち、一方の傾斜背面４４ａと主背面４３とのなす角度は、上記第２板材３０の挟持板部３２と逃げ板部３４とのなす角度と同一に形成されている。
【００３６】
そして、本実施形態においては、上記構成の調律装置本体４０が、表示部４２を上方に向けるとともに、主背面４３を第２板材３０の挟持板部３２上に沿わせ、さらに、一方の傾斜背面４４ａを第２板材３０の逃げ板部３４に沿わせた収納状態で、第２板材３０上に配置される。
そして収納状態において、第２板材３０の挟持板部３２の先端部上面と、調律装置本体４０の筐体４１の他方の傾斜背面４４ｂとが連結部材５０によって連結支持されている。なお、調律装置本体４０が収納状態とされている場合には、第２板材３０上面と調律装置本体４０背面との間には僅かなクリアランスが設けられている。
【００３７】
該連結部材５０は、第２板材３０及び調律装置本体４０の長手方向に直交するとともにこれら第２板材３０の上面及び調律装置本体４０の表示部４２に平行な回転軸５１を有している。この回転軸５１を支点として第２板材３０と調律装置本体４０とが相対回動可能に構成されている。これによって、調律装置本体４０は、図１に示すようにその背面が第２板材３０の上面に沿って配置される収納状態と、図２に示すように表示部４２が第１板材２０及び第２板材３０の先端側、即ち、クリップ部１０の先端側を向く立ち上がり状態との間で回動可能とされている。
なお、本実施形態の調律装置１においては、調律装置本体４０が、上記回転軸５１回りに収納状態と立ち上がり状態との間で回動可能とされる他、該回転軸５１と直交し第２板材３０に対して垂直な他の回転軸（図示省略）回りに回動可能とされている。これによって表示部４２の向きを任意に変更することができるようになっている。
【００３８】
以上のような構成の調律装置１は、未使用時においては通常調律装置本体４０が収納状態とされており、使用する際にはクリップ部１０の第１板材２０と挟持板部３２とによって楽器６０を挟み込み、調律装置本体４０を立ち上がり状態へと回動させる。
その後、楽器６０が演奏されると、その振動が調律装置本体４０に内蔵された振動センサによって検知され、表示部４２に情報が表示される。
【００３９】
本実施形態に係る調律装置１によれば、クリップ部１０の第２板材３０の上方に挟持板部３２と逃げ板部３４とに囲われた収納スペースが形成され、該収納スペースに挟持板部３２及び逃げ板部３４の上面に調律装置本体４０が背面を沿わせた状態で収納される。これにより、調律装置本体４０と第２板材３０と間に生じる無駄なスペースを最小限に抑えることができるため、クリップ部１０と調律装置本体４０との一体感を高め、調律装置１自体をコンパクトな構成とすることが可能となる。
【００４０】
また、調律装置１の最下部に位置する第１板材２０が平板状をなしているため、クリップ部１０によって楽器６０を挟み込むことをせずとも、図３に示すようにクリップ部１０を閉じた状態で第１板材２０の下面を楽器６０上に設置することで、調律装置１を安定性を高くして設置することが可能となる。
【００４１】
さらに、調律装置本体４０は連結部材５０によって、表示部４２が挟持板部３２の上方を向く収納状態と、表示部４２が挟持板部３２の先端側を向く立ち上がり状態との間で回動可能とされているため、調律装置本体４０の表示部４２を状況に合わせて視認し易い位置に配置することができる。
【００４２】
また、クリップ部１０の第２板材３０における挟持板部３２の先端部下面に、上パッド部が設けられているため、挟持板部３２と第１板材２０とによって楽器６０を把持した際に、挟持板部３２によって楽器６０に傷が付けられるのを回避できるとともに、挟持板部３２が楽器６０からずれてしまうのを防止することができる。
【００４３】
さらに、第１板材２０がその先端から上方に向かって傾斜して延びる顎板部２２を備えていることから、クリップ部１０によって把持する楽器６０の厚みが大きい場合であっても該楽器６０を確実に把持して、安定性高く調律装置１を取り付けることが可能となる。
【００４４】
さらにまた、前記第１板材２０の先端部上面、即ち、本実施形態においては顎板部２２の先端部上面に下パッド２３が設けられていることから顎板部２２によって楽器６０を下方から把持した際に、該顎板部２２によって楽器に傷が付くのを回避することができるとともに顎板部２２が楽器６０からずれてしまうのを防止することができる。
【００４５】
また、調律装置本体４０内に振動センサが内蔵されていることから、調律装置本体４０外に振動センサを設けた場合と比較して配線等を施す必要がなくなる。したがって、調律装置１自体を簡易かつコンパクトな構成とすることが可能となる。
【００４６】
また、調律装置１は、図１に示すように、下方から順に第１板材２０、第２板材３０、調律装置本体４０が積層された構造とされ、各部材間には上述のようにクリアランスが設けられているため、例えば調律装置１を落下させた場合にはこれらクリアランスの範囲で各部材が撓むことにより、落下による衝撃を緩和させることができる。
【００４７】
以上、本発明の音楽用電子機器の実施の形態である調律装置１について詳細に説明したが、本発明の技術的思想を逸脱しない限り、これらに限定されることはなく、多少の設計変更等も可能である。例えば、調律装置本体４０に代えて、メトロノーム等の他の電子機器本体を備えたものであってもよい。
【００４８】
また、例えば図４に示すように、第１板材２０の第１板材本体２１の上面にゴム等からなりシート状をなすパッドシート（パッド部材）２４が敷設されたものであってもよい。これによって、第１板材本体２１の上面と楽器６０との干渉を避けて、第１板材２０又は楽器６０が損傷してしまうのを回避することができる。また、クリップ部１０が閉じた状態においては、第１板材２０と挟持板部３２との間のクリアランスに当該パッドシート２４が介在することとなるため、調律装置１を落下させた場合に与えられる衝撃をより有効に緩和することができる。
【００４９】
また、例えば図５に示すように、第１板材２０の第１板材本体２１がその延在方向に沿って先端側に伸縮可能とされたものであってもよい。
これによって、厚みの大きな楽器にも対応することができる一方で、調律装置１自体のコンパクト性を担保することが可能となる。
【００５０】
さらに、例えば図６に示すように、第２板材３０の挟持板部３２が先端側により延びた構成とされ、該挟持板部３２の先端部が第１板材２０における顎板部２２の上面に開口する凹部２２ａに収納される構成としてもよい。
これによって、第２板材３０の挟持板部３２先端をより先端側に延在させても、該挟持板部３２と顎板部２２とが干渉することがない。よって、調律装置１のコンパクトな構造を維持しつつ、挟持板部３２を先端側に延ばしたことでより厚みの大きな楽器でも容易に把持することが可能となる。
【００５１】
さらにまた、例えば図７の模式図に示すように、クリップ部１０が開放状態にあるとともに調律装置本体４０が立ち上がり状態にある場合において、クリップ部１０を閉じる際に第１板材２０の顎板部２２が調律装置本体４０の他方の傾斜背面４４ｂを押圧することで、調律装置本体４０が収納状態へと回動する構成としたものであってもよい。  これによって、クリップ部１０を閉じる動作のみをもって調律装置本体４０を立ち上がり状態から収納状態に回動させることができるため、別途調律装置本体４０を回動させて収納する作業を行う必要がなく、取り扱いを容易にすることができる。
【００５２】
これに対し、例えば図８の模式図に示すように、調律装置本体４０が収納状態から立ち上がり状態に回動するように例えばバネ等の弾性部材によって付勢されており、クリップ部１０が閉じている際には顎板部２２が調律装置本体４０の他方の傾斜背面４４ｂ当接して該調律装置本体４０の収納状態から立ち上がり状態への回動を制限するとともに、クリップ部１０が開いた際には顎板部２２による調律装置本体４０の回動の制限が解除されるように構成されているものであってもよい。
これによりクリップ部１０を開くことのみをもって調律装置本体４０を収納状態から立ち上がり状態とすることができるため、別途調律装置本体４０を回動させて立ち上げる作業を行う必要がなく、取り扱いを容易にすることができる。
【００５３】
また、例えば図９に示すように、調律装置本体４０の背面、特に主背面４３及び一方の傾斜背面４４ａにゴムシートやスポンジシート等の緩衝部材４５が設けられていてもよい。
これによって、調律装置本体４０の背面と第２板材３０とが干渉してこれらに傷が付くことを防止することができる。また、調律装置本体４０と第２板材３０との間のクリアランスに当該緩衝部材４５が介在することとなるため、調律装置１を落下させた場合の衝撃をより有効に緩和することができる。
【００５４】
また、実施形態においては調律装置本体４０に振動センサが内蔵されたものについて説明したが、例えば図１０に示すように、振動センサ７０を挟持板部３２の先端部下面に設けたものであってもよい。この場合、振動センサ７０と調律装置本体４０の内部に配された電気回路とを接続する配線が連結部材５０の内部に敷設される。この配線によって振動センサ７０の振動の検知に基づく電気信号が調律装置本体４０内の電気回路に入力される。
これによれば、配線を調律装置本体４０外部に敷設する必要があるものの、クリップ部１０で楽器６０を把持した際に、楽器６０に振動センサ７０を接触させることができる。したがって、楽器６０の演奏による振動が直接的に振動センサ７０に伝搬されるため高精度の調律を行うことが可能となる。
【００５５】
一方、このように振動センサ７０が調律装置本体４０の外部に設けられた構成の他の態様として、例えば図１１に示すように、第１板材２０の第１板材本体２１先端側に上下に貫通する貫通孔２６を設け、第２板材３０の挟持板部３２先端部下面に配設された振動センサ７０を上記貫通孔２６を貫通して第１板材２０の下面側に露呈させたものであってもよい。この場合、振動センサ７０の端面７０ａが第１板材２０の下面と同一平面上に配される。
これによって、調律装置１を楽器６０上に設置した場合に、振動センサ７０の端面７０ａが楽器６０に直接的に接触するため、高精度の調律を行うことが可能となる。
【００５６】
また、例えば図１２に示すように、第２板材３０の逃げ板部３４が、収納状態の調律装置本体４０の表示部４２よりも上方に延びているものであってもよい。
これによって、調律装置１を落下した場合に、表示部４２に先立って逃げ板部３４が落下衝撃を受けることになるため、当該表示部４２の破損を防止することができる。
【００５７】
さらにまた、例えば図１３に示すように、調律装置本体４０の操作を行うボタン等が配置された操作部４７が、該調律装置本体４０の背面、即ち、主背面４３及び傾斜背面４４ａ、４４ｂに設けられたものであってもよい。
これによって調律装置本体４０が収納状態とされている場合おいては調律装置本体４０の操作部４７が外部に露呈することがないため、該操作部４７を衝撃等から保護するとともに誤作動の防止を図ることができる。
【００５８】
また、例えば図１４に示すように、第１板材２０が顎板部２２を備えておらず、平板状をなしており、その先端部上面に半球状をなす下パッド（パッド部材）２８が突設されたものであってもよい。
これによっても、楽器６０を第１板材２０の下パッド２８と挟持板部３２の上パッド３３とによって把持することができ、調律装置１を楽器６０に容易に取り付けることができる。また、上記顎板部２２を備えたものに比べて、把持可能な楽器６０の厚みは小さくなるものの、よりコンパクト化に特化した調律装置１を提供することができる。
【００５９】
また、調律装置１をよりコンパクトにするために、第１板材２０の幅方向中央部に第２板材３０が嵌合可能な貫通部を形成し、クリップ部１０が閉じた際に貫通部に第２板材３０が収納されることによって、調律装置１をより薄くした構成のものであってもよい。
さらに、例えば主背面４３又は傾斜背面４４ａに図示しない電源スイッチを設け、調律装置本体４０が収納状態とされている場合には電源スイッチが挟持板部３２上面に押圧されて調律装置本体４０の電源がオフとされており、調律装置本体４０が立ち上がり状態に回動する際に、挟持板部３２による電源スイッチの押圧が解除されることで、調律装置本体４０の電源がオンとされる構成としてもよい。
【符号の説明】
【００６０】
１    調律装置（音楽用電子機器）
１０  クリップ部
２０  第１板材
２２  顎板部
２２ａ       凹部
２３  下パッド（パッド部材）
２４  パッドシート（パッド部材）
２６  貫通孔
２８  下パッド（パッド部材）
３０  第２板材
３１  屈折部
３２  挟持板部
３３  上パッド（パッド部材）
３４  逃げ板部
３６  ヒンジ部
３７  回転軸
４０  調律装置本体
４２  表示部
４３  主背面
４４ａ       傾斜背面
４４ｂ       傾斜背面
４７  操作部
５０  連結部材
５１  回転軸
６０  楽器
７０  振動センサ
【図１】
2010164709.tif 000003
【図２】
2010164709.tif 000004
【図３】
2010164709.tif 000005
【図４】
2010164709.tif 000006
【図５】
2010164709.tif 000007
【図６】
2010164709.tif 000008
【図７】
2010164709.tif 000009
【図８】
2010164709.tif 000010
【図９】
2010164709.tif 000011
【図１０】
2010164709.tif 000012
【図１１】
2010164709.tif 000013
【図１２】
2010164709.tif 000014
【図１３】
2010164709.tif 000015
【図１４】
2010164709.tif 000016